(57)【要約】【課題】  腟括約筋やその奥に広がる腟内壁殊には子宮頚部の周りの腟壁に接触することが出来、これ等の部位に効果的に指圧刺激を与えることが出来るような膣内鍛練具を提供する。【解決手段】  腟内に挿入可能な形状と大きさとを有する柔軟な挿入部と、この挿入部の根元の持ち手部とから成り、前記挿入部は腟内奥壁を刺激出来るように湾曲して形成されていると共に、この湾曲の度合いが可変であるように内部に屈曲自在な金属芯を備えているものとした。金属芯は屈曲の度合いが可変であって指で簡単に曲げられるから、柔軟な挿入部もこの金属芯に追随して湾曲の度合いを変えることが出来る。これにより腟内奥壁の部位に効果的に指圧刺激を与えることが可能となった。【選択図】図１
0003162716.tif 000002
【実用新案登録請求の範囲】
【請求項１】
腟内に挿入可能な形状と大きさとを有する柔軟な挿入部と、この挿入部の根元の持ち手部とから成り、前記挿入部は腟内奥壁を刺激出来るように湾曲して形成されていると共に、この湾曲の度合いが可変であるように内部に屈曲自在な金属芯を備えていることを特徴とする、湾曲状を呈するマッサージ器具。
【請求項２】
前記挿入部が前記持ち手部に対して折曲自在に設けられている、請求項１に記載の湾曲状を呈するマッサージ器具。
【請求項３】
前記挿入部に振動発生部が納められている、請求項１に記載の湾曲状を呈するマッサージ器具。
【考案の詳細な説明】
【技術分野】
【０００１】  この考案は、夫が妻に用いて夫婦生活を充実させるべく開発されたハンディータイプのマッサージ器具（腟括約筋から膣内にかけての鍛練具である）に係り、特に腟内に納められる部位の形状が湾曲状を呈するマッサージ器具に関するものである。
【背景技術】
【０００２】  従来より夫婦生活を充実させる器具として、陰茎を模した形状の腟内に挿入するマッサージ器具が各種提案されている。これには例えば持ち手部と挿入部とが直線上に連結されて成る単なる棒状のものである。【０００３】  ところで解剖図からも明らかなように腟の入り口付近には腟括約筋があり、腟の奥の方は伸縮性に富む袋のような形状をしている。そして興奮期には奥の方が広がることが医学的に知られている。しかしながら腟自体の感覚は他の部位と比較してそれほど敏感ではないことが分かっている。従って上記陰茎を模した形状の刺激具では特開２００４−３２９８３４号公報にあるようなすり漕ぎ運動などの複雑な運動をする機構を備えたものも提案されている。すなわちこの種マッサージ器は腟内に挿入する柔軟な素材から成る挿入部とモータや電池やスイッチを納めたハンドル部とから成り、前記モータの回転軸に延設された緩やかなカーブを有する回転杆が前記挿入部内にあり、モータの回転動作に伴なって首を振るような回転を行ない、これが前記挿入部にも首振り運動を生じさせるように構成されている。
【先行技術文献】
【特許文献】
【０００４】
【特許文献１】特開２００４−３２９８３４号公報
【考案の概要】
【考案が解決しようとする課題】
【０００５】  しかしながら腟はその全長に亘って筒状を呈しているわけではなく、腟奥では子宮頚部が腟内に突出したような構造となっているため、腟壁はその周囲を取り囲むように膨らみ湾曲している。このことは医師の触診でも観察されている事柄である。従ってマッサージ器具も単なる棒状のものでは、その挿入部が子宮頚部の周りの腟壁に接触せずに腟内壁から浮いたような状態となり、腟奥の内壁を刺激することがほとんど出来ず、その効果も限定的なものに止まると言う問題がある。そこで膨らんだ腟内壁、殊に子宮頚部の周りの腟壁に接触して指圧のような刺激を与えることが出来れば、膣内壁等に於ける鍛練効果が高まることは明白である。【０００６】  そこでこの考案は奥に広がる腟内壁殊に子宮頚部の周りの腟壁に接触することが出来、これ等の部位に効果的に指圧刺激を与えることが出来るような、全く新しいマッサージ器具の提供を課題とする。
【課題を解決するための手段】
【０００７】  上述したように指を曲げての触診で腟奥が広がっていることが観察されることから、上記課題は腟内に挿入可能な形状と大きさとを有する柔軟な挿入部と、この挿入部の根元の持ち手部とから成り、前記挿入部は腟内奥壁を刺激出来るように湾曲して形成されていると共に、この湾曲の度合いが可変であるように内部に屈曲自在な金属芯を備えている、湾曲状を呈するマッサージ器具とすることにより達成される。【０００８】  上述したような従来からある単なる棒状のマッサージ器は、腟内にただ真っ直ぐに挿入されるだけであるが、この考案の湾曲状を呈するマッサージ器具によれば腟内に挿入されると真っ直ぐには進まずに、言わば腟奥が広がっている腟壁に沿って進んで行く。従って挿入部は直接的に腟内奥壁を刺激することが出来るのである。また挿入部の根元の持ち手部を操ることで更に多彩な刺激を腟内奥壁に加えることが可能である。このようなことを従来の棒状のマッサージ器で行なうにはスリコギのような無理な運動を行なわなければならず、腟口や腟内にとってあまり好ましいことではなかったが、この考案の湾曲状を呈するマッサージ器具ではそのような問題をクリアしている。【０００９】  また挿入部はその内部に屈曲自在な金属芯を備えていると共に、挿入部は柔軟に構成されている。金属芯は屈曲の度合いが可変であって指で簡単に曲げられるから、柔軟な挿入部もこの金属芯に追随して湾曲の度合いが変えられる。金属芯には針金や鉛棒を用いることが出来る。なおこれ等は重さがあるため、この考案のマッサージ器を用いて腟括約筋を意識的に収縮させる鍛練を行えば、金属芯が負荷となって鍛練の効果がより一層高められる。【００１０】  次に前記挿入部が前記持ち手部に対し折曲自在に設けられているものとすることが出来る。元々この考案のマッサージ器具は湾曲状を呈する点に特徴を有するが、更に挿入部自体が自由に折曲することで多彩な刺激を腟内奥壁に与えることが可能となる。なお初期形状から折曲させても自然に形状復元させるべく付勢するために、前記挿入部と前記持ち手部との間にバネなどを介在させる構成も有効である。【００１１】  また前記挿入部に振動発生部が納められているものとすることが出来る。前記挿入部による接触刺激だけでもマッサージ効果を発揮することは可能であるが、更に振動発生部がら発せられる振動刺激を腟内奥壁に与えることによって一層の感覚鍛練効果を高めることが可能である。
【考案の効果】
【００１２】  この考案によれば、前記湾曲した挿入部が奥に広がる腟内壁に接触することが可能で、前記柔軟な挿入部が指で簡単に曲げられるから、腟内奥壁の部位に効果的に指圧刺激を与えることが出来るようになり、所期の目的を達成している。
【図面の簡単な説明】
【００１３】
【図１】  実施例１を側面視した説明図である。
【図２】  この実施例の内部構成の説明図である。
【図３】  実施例２を表わす説明図である。
【図４】  実施例３を表わす説明図である。
【考案を実施するための形態】
【００１４】  以下この考案の３種の実施例を説明するが、この考案はこれ等の実施例にのみ限定されるものではない。
【実施例１】
【００１５】  図１及び図２を用いてこの実施例を説明する。持ち手部１０の前方（すなわち腟口へ挿入する方向であり図の右方である）に挿入部１１が設けられている。この際に前記挿入部１１は挿入部１１の根元（すなわち持ち手部１０との接続部である）から前端部にかけて湾曲して形成されている。更にこの実施例では持ち手部１０に付いても挿入部１１の湾曲具合に合わせて湾曲されている。なお持ち手部１０も挿入部１１もシリコンゴム製のものである。この持ち手部１０と挿入部１１との内部には、図２に表わしたように針金芯１３が納められている。【００１６】  持ち手部１０を手で持って挿入部１１を腟口へ挿入する。挿入部１１は腟内に挿入可能な大きさであることは言うまでもない。このマッサージ器具１が腟に挿入されると、前記挿入部１１は真っ直ぐには進まずに腟壁に沿って進むことが可能であり、腟内奥壁を刺激することが出来るのである。この際に挿入部１１の曲がり具合を変えることが出来るが、この変更は針金芯１３によって可能になる。腟内の形状は人によって異なるため、挿入部１１の湾曲具合が調整出来ることは利点となる。なお挿入部１１の外側にはシリコンゴム製の突起１２が多数突設されているため、これによって腟内壁を効率的に刺激することが出来る。
【実施例２】
【００１７】  図３を用いてこの実施例のマッサージ器具２を説明する。このものは持ち手部２０が直線状を呈しており、この持ち手部２０に対して鉛芯部２２が設けられており、この先端部分に鉛芯部２２と同様の鉛製の挿入頭部２３が取り付けられており、これ等の鉛芯部２２と挿入頭部２３との周りをシリコンゴム製のカバーである挿入被覆部２１が覆った構成とされている。従って挿入被覆部２１は湾曲させることが出来、その湾曲の程度を変更することが出来る。更に特徴的な点は、この湾曲して形成された挿入被覆部２１が持ち手部２０に対して折曲自在に設けられていることである。【００１８】  このように挿入被覆部２１を持ち手部２０に対して折曲自在に設けたのであるが、持ち手部２０側の先端部に設けた連結部２４に対し、挿入被覆部２１側の鉛芯部２２を回動軸２５，２５を以て回動自在に連結している。この回動軸２５には図示しないコイルバネがセットされており、鉛芯部２２は湾曲の外方（図の下方）へ一定範囲だけ屈曲して開くことが出来るものの、コイルバネの付勢力によって自然には元の方向へ戻ろうとする。このようにして個人個人によって異なる腟内壁の形状により柔軟に対応することが出来るのである。【００１９】  なお腟括約筋を意識的に収縮させる鍛練を行えば、鉛芯部２２と挿入頭部２３とが重量のある鉛で構成されているため、この鉛芯が負荷となって鍛練の効果がより一層高められる。
【実施例３】
【００２０】  図４はこの実施例のマッサージ器具３を表わす側面図であり、その殆どの構成を上述した実施例１に倣うものであるが、更に湾曲して形成された挿入部３１の中に振動発生部を設けている点に特徴を有する。図中符号３０は持ち手部、符号３１は挿入部である。【００２１】  持ち手部３０の内部には電池４２が着脱自在に納められており、持ち手部３０の後端部（図の左端部）にはスイッチ４３が外部から操作可能となるように取り付けられている。また振動発生部は挿入部３１に設けた振動発生室３３内に納められている。この振動発生部はモータ４の回転軸４０に偏心重錘４１を取り付けて成るものであり、モータ４は前記スイッチ４３を介して前記電池４２に配線されている（配線コードは図示せず）。【００２２】  そこで前記スイッチ４３をＯＮ状態にするとモータ４が回転し始め、偏心重錘４１が回転軸４０に偏って固定されているために振動を発する。この振動は挿入部３１で発生して腟内壁にバイブレーション効果を与えることが出来る。
【産業上の利用可能性】
【００２３】  この考案のマッサージ器具は、医師が骨盤底部筋の試験や強化鍛練を指導するために用いる医療用具として提供することが可能である。
【符号の説明】
【００２４】１：    マッサージ器具    １０：  持ち手部      １１：  挿入部
１２：  突起              １３：  針金芯        ２：    マッサージ器具
２０：  持ち手部          ２１：  挿入被覆部    ２２：  鉛芯部
２３：  挿入頭部          ２４：  連結部        ２５：  回動軸
３：    マッサージ器具    ３０：  持ち手部      ３１：  挿入部
３２：  針金芯部          ３３：  振動発生室    ４：    モータ
４０：  回転軸            ４１：  偏心重錘      ４２：  電池
４３：  スイッチ
【図１】
0003162716.tif 000003
【図２】
0003162716.tif 000004
【図３】
0003162716.tif 000005
【図４】
0003162716.tif 000006